(57)【要約】送信に用いられる送信（ＴＸ）アンテナの数を検出することにより、セル識別子（ＩＤ）を検出する方法及び装置であって、少なくとも２つのコードをＴＸアンテナから送信された参照シンボル（ＲＳｓ）に適用し、送信に用いられるＴＸアンテナが２以上あることを検出した場合に、１セットのデコードされたＲＳｓを検出し、ＴＸアンテナからのデコードされたＲＳｓを分類し、デコードされたＲＳｓをグループにまとめ、分類されデコードされたＲＳｓを等化し、セルＩＤを得るために最大の相関値を与える少なくとも２つのコードのコードを検出する。【選択図】図５
2010518772.tif 000002
【特許請求の範囲】
【請求項１】
送信に用いられる送信（ＴＸ）アンテナの数を検出するステップと、
デコードされた一組のＲＳｓを検出するために、少なくとも２つのコードを前記送信アンテナから送信された参照シンボル（ＲＳｓ）に適用するステップと、
送信のために用いられる２以上のＴＸアンテナが存在することが検出される状態において、前記ＴＸアンテナからの前記デコードされたＲＳｓを分類し、前記デコードされたＲＳｓをグループにまとめるステップと、
前記分類されデコードされたＲＳｓを等化するステップと、
前記セルＩＤを得るために最大相関値を与える前記少なくとも２つのコードの前記コードを検出するステップと、
を含むセル識別子（ＩＤ）を検出する方法。
【請求項２】
前記コードは直交するコードである、請求項１に記載の方法。
【請求項３】
送信に用いられるＴＸアンテナの前記数が２（２）であり、
さらに、サブキャリアｉ（アンテナ１についてのＲＳ）及びｊ（アンテナ２についてのＲＳ）についてのチャネル推定値の重み付けられた合計を下記のように用いることによって、等化のために用いられる前記チャネル推定値を検出するステップを含む、請求項２に記載の方法。
【数１】
2010518772.tif 000013
【請求項４】
送信のために用いられるＴＸアンテナの前記数が４である、請求項２に記載の方法。
【請求項５】
前記等化するステップは、プライマリー同期チャネル（Ｐ−ＳＣＨ）及びセカンダリ同期チャネル（Ｓ−ＳＣＨ）を用いて実行される、請求項１に記載の方法。
【請求項６】
前記等化するステップは、Ｐ−ＳＣＨ又はＳ−ＳＣＨのいずれかを用いて実行される、請求項１に記載の方法。
【請求項７】
前記グループは、周波数領域において、互いに最も近接するＴＸアンテナからの前記ＲＳｓとして定義される、請求項１に記載の方法。
【請求項８】
チャネル推定値が前記チャネルを等化するために用いられ、次式に従って検出される、請求項７に記載の方法。
【数２】
2010518772.tif 000014
【請求項９】
チャネル推定値が前記チャネルを等化するために用いられ、次式に従って検出される、請求項７に記載の方法。
【数３】
2010518772.tif 000015
【請求項１０】
第３世代ロングタームエボリューション（３Ｇ  ＬＴＥ）システムにおいて実行される、請求項１に記載の方法。
【請求項１１】
所定のタイミング及びプライマリー同期チャネル（Ｐ−ＳＣＨ）シーケンスを探すために、ユーザ機器（ＵＥ）によってセル探索を実行するステップと、
同期チャネル（ＳＣＨ）及びプライマリー報知制御チャネル（Ｐ−ＢＣＨ）を受信するために用いられるＴＸアンテナの数を検出するステップと、
用いられる送信（ＴＸ）アンテナの数をコントロールユニットにより検出するステップと、
もし検出されたＴＸアンテナの前記数が１である場合には、従来通り受信されたＲＳｓに対する相関を実行するステップと、
もし検出されたＴＸアンテナの前記数が１より多い場合には、直交コードをＲＳｓに適用し、グループＲＳを検出するために前記ＲＳｓをまとめることにより、参照シンボル（ＲＳ）グループを検出し、ＮグループＲＳを前記直交セルＩＤコードに対して相関するステップと、
相関パワーを最大化する前記セルＩＤコードを検出するステップと、
前記Ｐ−ＢＣＨを読み込むステップと、
を含む、多重送信ＴＸアンテナ同期チャネル送信セル識別子（ＩＤ）のための方法。
【請求項１２】
前記グループは、周波数領域において、互いに最も近接するＴＸアンテナからの前記ＲＳｓとして定義される、請求項１１に記載の方法。
【請求項１３】
チャネル推定値は、前記チャネルの等化のために用いられ、次式に従って検出される、請求項１２に記載の方法。
【数４】
2010518772.tif 000016
【請求項１４】
チャネル推定値は、前記チャネルの等化のために用いられ、次式に従って検出される、請求項１２に記載の方法。
【数５】
2010518772.tif 000017
【請求項１５】
第３世代ロングタームエボリューション（３Ｇ  ＬＴＥ）システムにおいて実行される、請求項１１に記載の方法。
【請求項１６】
アンテナからの信号を受信するよう構成されるフロントエンドレシーバ（Ｆｅ  ＲＸ）と、
前記ＦｅＲＸの出力と連結され、信号帯域（ＢＷ）をフィルタ処理するよう構成されるアナログフィルタと、
前記アナログフィルタの出力と連結され、アナログ信号をデジタル信号に変換するよう構成されたアナログからデジタルへの変換器（ＡＤＣ）と、
前記ＡＤＣからの前記デジタル信号を受信し、デジタル的にフィルタ処理するよう構成された第１デジタルフィルタと、
前記第１デジタルフィルタによってフィルタ処理された前記デジタル信号を受信するよう構成された高速フーリエ変換（ＦＦＴ）ユニットと、
前記ＡＤＣからの前記デジタル信号を受信し、前記ＳＣＨ  ＢＷをフィルタ処理して出力するよう構成された、より小さな第２のデジタルフィルタと、
前記より小さな第２のデジタルフィルタによりフィルタ処理された前記デジタル信号を受信し、Ｐ−ＳＣＨ及びＳ−ＳＣＨ検出を実行するよう構成され、検出されたＳ−ＳＣＨはフェーズリファレンスとしてセルＩＤ検出ユニットの中で用いられる、セル探索ユニットと、
前記セル探索ユニットからの前記Ｐ−ＳＣＨ検出ステージにおいて得られたタイミング情報を受信するよう構成された高速フーリエ変換（ＦＦＴ）ユニットと、
前記セル探索ユニットからの同期チャネル（ＳＣＨ）及びプライマリー報知制御チャネル（Ｐ−ＢＣＨ）の送信に用いられる前記検出されたＴＸアンテナの数を受信するよう構成され、ＲＳ分類を実行するよう構成されたコントロールユニットと、
位相等化されたＲＳサンプルを直交セルＩＤコードに相関するのに必要な情報を受信し、前記セルＩＤを出力するよう構成されたセルＩＤ検出ユニットと、
を備える、多重送信アンテナ同期チャネル送信セル識別子（ＩＤ）のための装置。
【請求項１７】
前記ＳＣＨ  ＢＷをフィルタ処理して出力するよう構成された前記より小さな第２のデジタルフィルタは、１．２５ＭＨｚのＢＷ通過帯域を有する、請求項１６に記載の装置。
【請求項１８】
前記セル探索ユニットにおける前記Ｓ−ＳＣＨ検出は、Ｐ−ＳＣＨタイミング及び周波数情報を用いて実行される、請求項１６に記載の装置。
【請求項１９】
第３世代ロングタームエボリューション（３Ｇ  ＬＴＥ）システムにおいて実行される、請求項１６に記載の装置。
【請求項２０】
所定のタイミング及びプライマリー同期チャネル（Ｐ−ＳＣＨ）シーケンスを探すためのセル探索を実行し、
同期チャネル（ＳＣＨ）及びプライマリー報知制御チャネル（Ｐ−ＢＣＨ）を受信するために用いられるＴＸアンテナの数を検出し、
用いられる送信（ＴＸ）アンテナの前記数を検出し、もし検出されたＴＸアンテナの前記数が１である場合には、従来通り前記受信された参照シンボル（ＲＳｓ）について相関を実行し、もし検出されたＴＸアンテナの前記数が１より多い場合には、直交コードを前記ＲＳｓに適用し、前記グループＲＳを検出するために前記ＲＳｓをまとめることにより、ＲＳグループを検出し、
前記ＮグループＲＳを前記直交セルＩＤコードについて相関し、
相関パワーを最大化する前記セルＩＤコードを検出し、
前記Ｐ−ＢＣＨを読み込む、
ように構成されたプログラムコードを含み、
コンピュータハードウェアによって実行されるように構成されたコンピュータが読み込み可能な媒体上に具体化されたコンピュータソフトウェアプログラム。
【請求項２１】
第３世代ロングタームエボリューション（３Ｇ  ＬＴＥ）システムにおいて実行されるよう構成された、請求項２０に記載のコンピュータソフトウェアプログラム。
【発明の詳細な説明】
【技術分野】
【０００１】
本発明は、一般的に通信システムに関し、特に、直交周波数分割多重（ＯＦＤＭ）変調方式を用いるように構成される無線通信システムに関する。
【背景技術】
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、及び、ＷＣＤＭＡ（Ｗｉｄｅ  Ｃｏｄｅ  Ｄｉｖｉｓｉｏｎ  Ｍｕｌｔｉｐｌｅ  Ａｃｃｅｓｓ）のような発展型の無線携帯スタンダードは、より高いデータレートを伝送するためにＯＦＤＭのような変調方式を必要とするだろう。ＯＦＤＭは、信号を多重化するための方法であり、利用可能な帯域をサブキャリアとして知られる一連の周波数に分割する。
【０００３】
既存の携帯システムから既存の無線スペクトルを用いる高いキャパシティ及び高いデータレートのシステムへのスムーズな移行を確実にするために、新たなシステムは、フレキシブルな帯域（ＢＷ）上で動作できなければならない。第３世代ロングタームエボリューション（３Ｇ  ＬＴＥ）は新たなフレキシブルな携帯システムとして提案されている。３Ｇ  ＬＴＥは、３Ｇ  ＷＣＤＭＡ標準の発展を目的とされた。３Ｇ  ＬＴＥは、ＯＦＤＭを用い、１．２５ＭＨｚから２０ＭＨｚのスパンのＢＷｓ上で稼動するようだ。１００Ｍｂ／ｓ以上のデータレートは、高いＢＷ  ３Ｇ  ＬＴＥサービスにおいては可能であるだろう。
【０００４】
音声のようなローレートのサービスはまた、３Ｇ  ＬＴＥを用いることを期待されている。３Ｇ  ＬＴＥは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のために設計されているので、ＶｏＩＰ（ｖｏｉｃｅ  ｏｖｅｒ  ＩＰ）が、音声（ｓｐｅｅｃｈ）を運ぶサービスとなるだろう。３Ｇ  ＬＴＥの重要な側面は、そのモビリティである。それゆえに、同期シンボル及びセル探索手順は、ＵＥにとってセルを見つけ（ｄｅｔｅｃｔ）セルと同期する必要性のために重要であるだろう。
【０００５】
３Ｇ  ＬＴＥのために提案されているセル探索スキームは、以下の通りである。
１．プライマリー同期チャネル（Ｐ−ＳＣＨ）を用いて５ｍｓのタイミングで新しいセルを検出する。
２．セカンダリー同期チャネル（Ｓ−ＳＣＨ）を用いて、フレームタイミング及びセルグループを検出する。このステップにおいて、同期チャネル（ＳＣＨ）及びプライマリー報知チャネル（Ｐ−ＢＣＨ）のために用いられる送信（ＴＸ）アンテナの数が検出（ｄｅｔｅｃｔ）されることが提案される。この中で用いられるように、ＳＣＨは文脈が要求するように、Ｐ−ＳＣＨ及びＳ−ＳＣＨの双方を含む。
３．参照シンボル（ＲＳ）（また、チャネル品質インジケータ［ＣＱＩ］パイロットと呼ばれる）を用いてセル識別子（ＩＤ）を検出する。
【発明の概要】
【発明が解決しようとする課題】
【０００６】
セル固有のシステム情報を受信するためにＰ−ＢＣＨを読み込む。上記のステップ２において、ＳＣＨ及びＰ−ＢＣＨ送信のためのＴＸアンテナの数は、まだ検出されていない。しかしながら、もし、多重ＴＸアンテナを用いるＳＣＨ送信が実装された場合には、セル識別子（ＩＤ）検出前にＲＳｓを等化するためにＳＣＨから得られるフェーズリファレンスは、全てのＴＸアンテナからの無線チャネルの合計に基づくだろう。３Ｇ  ＬＴＥにおいて提案されたＲＳデザインと相まって、これは、セルＩＤ検出がささいなことではないだろうことを意味している。３Ｇ  ＬＴＥのために提案されたＲＳデザイン１００は、図１ａ及び図１ｂに示される。図１ａ及び図１ｂは、１２のサブキャリア及び１４のＯＦＤＭシンボル、つまり、１ｍｓ＝１ＴＴＩ（Ｔｒａｎｓｍｉｓｓｉｏｎ  Ｔｉｍｅ  Ｉｎｔｅｒｃａｌ）であるリソースブロックを示す。その中に示されるように、パターンは、周波数及び時間において繰り返しである。より具体的にいうと、図１ａは、１つの仮想アンテナ１０１及び２つの仮想アンテナ１０２を用いたＲＳシグナル提案を示している。そして、図１ｂは、４つの仮想アンテナ１０３を用いるＲＳシグナル提案を示している。多重ＴＸアンテナのケース１０２，１０３において、異なるアンテナからのＲＳ送信は、周波数及び時間多重である。従って、ＴＸアンテナｉからサブキャリアｊ上を時間ｔの瞬間に送信されたＲＳを仮定すると、他のＴＸアンテナからそのような状況においては、データ、又はＲＳの送信は許可されない。従って、ユーザ機器（ＵＥ）が特定のＲＳｓを用いているときに、その特定のＴＸアンテナのためのチャネル情報（ｋｎｏｗｌｅｄｇｅ）だけが得られる。そして、従って、ＳＣＨｓをフェーズリファレンスとして用い、全ての用いられるＴＸアンテナからの無線チャネルの合計を含み、等化することは誤りである。
【０００７】
望まれることは、多重ＴＸアンテナを用いたＳＣＨ送信のケースにおいて、しっかりとした（ｒｏｂｕｓｔ）セルＩＤ検出を実行するよう構成された方法及び装置である。
【課題を解決するための手段】
【０００８】
本発明は、多重ＴＸアンテナからのＲＳｓを周波数領域において他に最も近いものに分類する。ＲＳｓのそれぞれは、ＴＸアンテナの数に応じ、それぞれの直交するコード及び２又は４のＲＳｓを用いて多重化される。そして、周波数領域において互いに最も近接するＲＳｓはひとつのデコードされたＲＳにまとめられる。従って、例えば整合フィルタを用いた位相等化は適用され、全ての直交するコードについてのメトリックが計算される。最も高いメトリックを与えるコードは、セルＩＤとして識別される。
【図面の簡単な説明】
【０００９】
【図１ａ】１又は２の仮想アンテナについて周波数ホッピングのないケースにおいて、３Ｇ  ＬＴＥと共に用いられる参照シンボル（ＲＳ）信号を示す。
【図１ｂ】４つの仮想アンテナについて周波数ホッピングのないケースにおいて、３Ｇ  ＬＴＥと共に用いられる参照シンボル（ＲＳ）信号を示す。
【図２】２つのＴＸアンテナを用いる本発明の一実施形態において異なる送信（ＴＸ）アンテナについてＲＳｓの分類を示す。
【図３】本発明の一実施形態において４つのＴＸアンテナがある場合のＲＳｓの分類を示す。
【図４】本発明の一実施形態のブロック図である。
【図５】本発明の一実施形態のフローチャートである。
【発明を実施するための形態】
【００１０】
本発明の一実施形態が以下に説明される。明瞭性のために、実際の実施の全ての特徴がここで説明されるわけではない。発明者の特定の目標を達成するために、１つの実施が他と異なるシステムと関連した制約をいかなる実際の実施形態の実施においても、例えば、１つの実施が他と異なる、システムに関連した制約を遵守することのような様々な実施特有の決定がなされるべきであることは認められるだろう。さらに、そのような実施努力は複雑であり、時間のかかるものであるかもしれない、しかし、それにもかかわらず、当業者にとって繰り返される仕事である。
【００１１】
本発明の記載は２つのＴＸアンテナのケースから開始する。そして、４つのＴＸアンテナのケースに一般化していく。本記載において、Ｒは第１のアンテナからのＲＳｓであると定義され、Ｓは第２のアンテナからのＲＳｓであると定義される。３Ｇ  ＬＴＥのために提案されたセル探索スキームのステップ３において（ステップ３は、ＲＳを用いてセルＩＤを検出する）、時刻ｔ及びｔ＋４であって、サブキャリアｉ、ｉ＝１，．．．，Ｎ１（我々がＲＳが送信されたと仮定する）のときの受信された信号は次のように示される。
【００１２】
【数１】
2010518772.tif 000003
【００１３】
ここで、Ｒ及びＳは、第１及び第２のＴＸアンテナそれぞれからのＲＳｓである。添え字ｋはセルＩＤを記述する直交ＲＳコードを示す。
【００１４】
３Ｇ  ＬＴＥにおいて、３つのセルＩＤ（直交コード）が提案されている。コードの定義は、
【００１５】
【数２】
2010518772.tif 000004
【００１６】
フェーズリファレンスとして、同期信号（Ｐ／Ｓ−ＳＣＨ）はチャネル等化のために用いられ得る。Ｈ１はＴＸアンテナ１からのチャネルであり、Ｈ２チャネルはＴＸアンテナ２からである。ＳＣＨｓは、２つのＴＸアンテナによって送信されるために、チャネルはサブキャリアｉについて次のように見積もり、これは、２つの無線チャネルの合計である。
【００１７】
【数３】
2010518772.tif 000005
【００１８】
従って、等化及び相関（コリレーション）の前に、次のステップの実行が必要とされる。１つめは、ＲＳｓが分類される必要がある。同じキャリア上を送信された異なるアンテナからのそれぞれのＲＳは、上記の数式（１）のように、１つのＲＳグループと定義されるべきである。
【００１９】
２つめに、直交コードは次に示すように、それぞれのＲＳｓに適用されるべきである。
【００２０】
【数４】
2010518772.tif 000006
【００２１】
３つめに、これらは、以下のようにまとめられるべきである。
【００２２】
【数５】
2010518772.tif 000007
【００２３】
最後に、例えば、整合フィルタアプローチを用いた等化が実行され、相関は次のようにＮにわたって実行され、ＲＳｓは分類される。
【００２４】
【数６】
2010518772.tif 000008
【００２５】
セルグループ中のセルＩＤは、高いメトリックを与える添え字ｌとして検出される。３Ｇ  ＬＴＥにおいて、ＲＳｓはまた周波数ホッピング（ＦＨ）であるかもしれない。これは、セル探索のステップ２において、他の方法中を伝達されるかもしれない。又は、セル探索のステップ３において無分別に検出されるかもしれない。（ステップ２は、フレームタイミング及びセルグループをＳ−ＳＣＨを用いて検出する。そして、ステップ３は、ＲＳを用いてセルＩＤを検出する。）
【００２６】
ホッピングパターンは、しかしながらセルグループから検出される。そのため、セルグループを検出し、それぞれのスロットにおける位置がＦＨのケースにおいてよく定められる。しかしながら、本発明の記述された実施形態において、様々なＴＸアンテナからのＲＳｓは、図２に示されるように同じサブキャリアに位置される必要はない。図２は、２つのＴＸアンテナを用いる、本発明の一実施形態に係る、異なるＴＸアンテナについてのＲＳｓの分類２００を示す。異なるＴＸアンテナからのＲＳｓが必ずしも同じサブキャリアに位置する必要が無いということを乗り越えるために、ＲＳグループがアンテナ１及びアンテナ２からの周波数領域において他外に最も近い２つのＲＳｓとして定義される。図２中の矢印は、ＲＳグループがどのように定義されるかを示している。等化のために用いられるチャネル推定値を特定するために、サブキャリアｉ（アンテナ１についてのＲＳ）及びサブキャリアｊ（アンテナ２についてのＲＳ）についてのチャネル推定値の合計が下記のように用いられるかもしれない。
【００２７】
【数７】
2010518772.tif 000009
【００２８】
例えば、重み要素がα１＝α２＝０．５として選択されてもよい。しかしこれに限られない。一度ＲＳグループが特定され、そしてセルＩＤチャネル推定値が計算されると、特定アプローチは上記と同様である。
【００２９】
４（４）ＴＸアンテナのケースは、いくぶん異なる方法で取り扱われる。ＴＸアンテナ３及びＴＸアンテナ４からのＲＳ密度は、ＴＸアンテナ１及びＴＸアンテナ２からのＲＳのたった半分であるため、３及び４つめのＴＸアンテナからのＲＳｓは、２つのサブキャリアのために用いられることが必要である。４つのＴＸアンテナのケース３００におけるＲＳグループが図３に示される。この中に見られるように、ＴＸアンテナ３及びＴＸアンテナ４についてのＲＳｓは、下記のように、それぞれＴ及びＵとラベル付けされている。
【００３０】
【数８】
2010518772.tif 000010
【００３１】
2010518772.tif 000011
【００３２】
【数９】
2010518772.tif 000012
【００３３】
一度、グループが決定されると、上記のように検出が実行される。
【００３４】
図４は、本発明の一実施形態に係るブロック図４００である。図４を参照すると、ＵＥ４００がセル探索を実行している。信号が受信され、フロントエンドレシーバ（ＦｅＲＸ）４０１においてベースバンド信号にダウンコンバートされる。信号ＢＷは、フィルタ４０２においてフィルタ処理され、アナログ・デジタル変換器（ＡＤＣ）４０３において、アナログ信号からデジタル信号に変換される。信号は、そして、第１のデジタルフィルタ４０５においてデジタル的にフィルタ処理され、高速フーリエ変換（ＦＦＴ）ユニット４０５に伝えられる。ＡＤＣからの信号出力は、また、第２の、より小さな、デジタルフィルタ４０６に伝えられる。ここで電磁たるフィルタ４０６は、ＳＣＨ帯域（ＢＷ）の外にフィルタ処理するよう構成されている。（ここで、ＬＴＥ  ＳＣＨ  ＢＷについて仮定されている１．２５ＭＨｚが示されている。）フィルタ処理された信号は、そして、セル探索ユニット４０７に伝えられる。セル探索ユニット４０７は、セル探索Ｐ−ＳＣＨ及びＳ−ＳＣＨ検出を実行する。Ｐ−ＳＣＨ検出ステージにおいて得られたタイミング情報は、セル探索ユニット４０７からＦＦＴ４０５に伝達される。Ｓ−ＳＣＨ検出は、Ｐ−ＳＣＨタイミング及び周波数情報を用いて実行される。検出されたＳ−ＳＣＨは、セルＩＤ検出ユニットにおけるフェーズリファレンスとして用いられる。ＳＣＨ及びＰ−ＢＣＨ送信のために用いられるＴＸアンテナの検出された数は、コントロールユニット４０８に伝達される。コントロールユニット４０８は、ＴＸアンテナの数に基づいて、上記に説明されたようにＲＳ分類を実行する。その情報は、セルＩＤ検出ユニット４０９に伝達され、そして、セルＩＤ検出ユニット４０９は、位相等化されたＲＳサンプルを直交セルＩＤコードと関連付けることにより、セルＩＤ検出を実行する。セルＩＤ検出ユニット４０９からの出力は、セルＩＤである。
【００３５】
本発明の一実施形態に係るフローチャート５００が図５に示される。この中に示されるように、ステップ５０１において、ＵＥは、例えば、５ｍｓの所定のタイミング及びＰ−ＳＣＨシーケンスを探すためにセル探索を実行する。ステップ５０２において、ＳＣＨ及びＰ−ＢＣＨのために用いられるＴＸアンテナの数が検出される。ステップ５０３において、コントロールユニットは、用いられるＴＸアンテナの数を検出する。もし、ＴＸアンテナの数が１であった場合、ステップ５０４において、受信されたＲＳｓについて相関が従来通り実行される。これは、ＴＸアンテナ１からのＲＳシーケンス（長さＮ）を直交セルＩＤコードと関連付ける。そして、ステップ５０７において、相関パワーを最大化するセルＩＤコードが検出される。そして、ステップ５０８において、Ｐ−ＢＣＨが読み込まれる。もし、ステップ５０３において、１より多いＴＸアンテナが検出された場合には、ステップ５０５において、ＲＳグループが検出され、直交コードがＲＳｓに適用される。そして、ＲＳｓは、グループＲＳを検出するためにまとめられる。そして、ステップ５０６において、ＮグループＲＳが直交セルＩＤコードと関連付けられる。ステップ５０７において、相関パワーが最大化されるセルＩＤコードが検出される。そして、ステップ５０８において、Ｐ−ＢＣＨが読み込まれる。
【００３６】
当業者は、様々な実施形態においてここに描かれる様々なステップ、ルーティン、又はユニットは、実行可能なコントロールユニットであり得ることを理解するだろう。コントロールユニットは、マイクロプロセッサ、マイクロコントローラ、デジタルシグナルプロセッサ、プロセッサカード（１又は２以上のマイクロプロセッサ又はコントローラを含む）、又は、１又は２以上のストレージデバイスに含まれる命令（ｉｎｓｔｒｕｃｔｉｏｎ）を実行可能である他の制御又は演算デバイスであってもよい。ストレージメディアは、ダイナミック又はスタティックランダムアクセスメモリ（ＤＲＡＭｓ又はＳＲＡＭｓ）のような半導体メモリデバイス、イレーサブル・アンド・プログラマブル・リードオンリーメモリ（ＥＰＲＯＭｓ）、エレクトリカリー・イレーサブル・アンド・プログラマブル・リードオンリーメモリ（ＥＥＰＲＯＭｓ）、及び、フラッシュメモリ、フィックスド、フロッピ、リムーバブルディスクのような磁気ディスク、テープを含む他の磁気メディア、及び、コンパクトディスク（ＣＤｓ）、又はＤＶＤｓを含む光学メディアを含む、様々な形のメモリを含むものであってよい。様々なシステムにおいて、様々なソフトウェアレイヤ、ルーティン、又はユニットを構成する命令は、それぞれのストレージデバイスに格納されていてもよい。その命令は、それぞれのコントロールユニットによって実行されるときに、対応するシステムにプログラムされた動作を実行させる。
【００３７】
本出願書類において説明された革新的なコンセプトは、出願書類の広いレンジに渡って変更及び改良されることが出来る。従って、発明の問題とする事項のスコープは上記のいかなる特定の例示された技術によっても制限されない。
【図１ａ】
2010518772.tif 000018
【図１ｂ】
2010518772.tif 000019
【図２】
2010518772.tif 000020
【図３】
2010518772.tif 000021
【図４】
2010518772.tif 000022
【図５】
2010518772.tif 000023
【国際調査報告】
2010518772.tif 000024
2010518772.tif 000025